(57)【要約】【課題】リール本体の後部の意匠性を損なうことなくリール本体を軽量化する。【解決手段】リール本体２は、釣糸を前方に繰り出し可能なスピニングリールのリール本体であって、筐体２１と、蓋部材２２と、ガード部材２３とを備える。筐体２１は、第１側面が開口する収容空間２１ａ、第１側面と対向する収容空間２１ａの第２側面を画定する側壁２１ｂ、及び収容空間２１ａの後面を画定する後壁２１ｃを有する。側壁２１ｂの後部である突出片２１ｄは後壁２１ｃよりも後方に延びる。蓋部材２２は、収容空間２１ａの開口を塞ぐよう筐体２１に装着される。ガード部材２３は、突出片２１ｄ及び後壁２１ｃとの間で空間を形成するよう、筐体２１及び蓋部材２２に対して後方から装着される。【選択図】図２
2014121277.tif 000002
【特許請求の範囲】
【請求項１】
釣糸を前方に繰り出し可能なスピニングリールのリール本体であって、
第１側面が開口する収容空間、前記第１側面と対向する前記収容空間の第２側面を画定する側壁、及び前記収容空間の後面を画定する後壁を有する筐体であって、前記側壁の後部が前記後壁よりも後方に延びる、前記筐体と
前記収容空間の前記開口を塞ぐよう前記筐体部に装着される蓋部材と、
前記側壁の前記後部及び前記後壁との間で空間を形成するよう、前記筐体及び前記蓋部材に対して後方から装着されるガード部材と、
を備えるリール本体。
【請求項２】
前記蓋部材は、その後部が前記後壁よりも後方に延びる、請求項１に記載のリール本体。
【請求項３】
前記ガード部材は、前方に突出する少なくとも一つの突起部を有し、
前記突起部は、前記筐体の後部の内側面に接触可能な位置に配置される、請求項１又は２に記載のリール本体。
【請求項４】
前記ガード部材は、前方に突出する複数の突起部を有し、
前記突起部のそれぞれは、前記筐体の後部の内側面又は前記蓋部材の後部の内側面に接触可能な位置に配置される、請求項２に記載のリール本体。
【請求項５】
前記蓋部材の後部は、側面視において前記側壁の後部と同じ形状を有する、請求項２に記載のリール本体。
【請求項６】
前記ガード部材は、その前面が側面視において前記側壁の後面及び前記蓋部材の後面に沿った形状を有する、請求項１から５のいずれかに記載のリール本体。
【請求項７】
請求項１から６のいずれかに記載のリール本体と、
前記リール本体に回転可能に装着されるハンドルと、
前記釣糸が巻かれるスプールと、
前記スプールに前記釣糸を巻きつけるロータと、
を備える、スピニングリール。
【発明の詳細な説明】
【技術分野】
【０００１】
本発明は、釣糸を前方に繰り出すスピニングリールのリール本体及び、これを用いたスピニングリールに関する。
【背景技術】
【０００２】
スピニングリールのリール本体は、オシレーティング機構、及びロータ駆動機構などを収容するための収容空間を有する筐体と、筐体に形成された開口を塞ぐように筐体に装着される蓋部材と、筐体及び蓋部材の後部を覆うガード部材とを備える（特許文献１参照）。この筐体は、意匠性、および釣糸を絡みにくくするという観点から、後部ほど側面視が細くなる形状となっている。
【先行技術文献】
【特許文献】
【０００３】
【特許文献１】特開２００４−１２９５７１号公報
【発明の概要】
【発明が解決しようとする課題】
【０００４】
筐体は、収容空間への水の侵入を防ぐ観点から、収容空間を小さくすることが好ましい。例えば、収容空間の後面を前方にシフトすることによって収容空間を小さくすることができる。しかしながら、前述の理由から筐体後部の側面視の外観形状を大きく変更することは好ましくない。よって、これらの要求を満たすために、筐体後部の側面視における外観形状を大きく変更することなく収容空間の後面を前方にシフトさせると、収容空間の後面がシフトして収容空間が減少した分、余肉が必要となって重量が増加してしまうという問題が生じる。
【０００５】
本発明の課題は、リール本体の後部の意匠性及び機能性を損なうことなくリール本体を軽量化することにある。
【課題を解決するための手段】
【０００６】
発明１にかかるリール本体は、釣糸を前方に繰り出し可能なスピニングリールのリール本体であって、筐体と、蓋部材と、ガード部材とを備える。筐体は、第１側面が開口する収容空間、第１側面と対向する収容空間の第２側面を画定する側壁、及び収容空間の後面を画定する後壁を有する。側壁の後部は後壁よりも後方に延びる。蓋部材は、収容空間の開口を塞ぐよう筐体に装着される。ガード部材は、側壁の後部及び後壁との間で空間を形成するよう、筐体及び蓋部材に対して後方から装着される。
【０００７】
この構成によれば、側壁の後部は後壁よりも後方に延びるため、筐体の後部は従来の外観とほぼ同様とすることができる。また、後壁は、筐体の後端よりも前方に位置するため、ガード部材は、筐体の側壁の後部及び後壁との間で空間を形成した状態で筐体に装着することができる。このため、リール本体の後部の意匠性及び機能性を損なうことなくリール本体の軽量化が可能となる。
【０００８】
発明２に係るリール本体は、発明１のリール本体において、蓋部材は、その後部が後壁よりも後方に延びる。この構成によれば、筐体の側壁の後部及び後壁、蓋部材の後部、並びにガード部材によってリール本体の後部に空間部を形成する。このため、蓋部材が装着される側から見た意匠性も損なうことなくリール本体の軽量化が可能となる。
【０００９】
発明３に係るリール本体は、発明１又は２のリール本体において、ガード部材は、前方に突出する少なくとも一つの突起部を有する。そして、突起部は、筐体の後部の内側面に接触可能な位置に配置される。この構成によれば、ガード部材に対して側方から荷重が加わった場合であっても、突起部が筐体の後部の内側面と接触することでガード部材の側方への動きが規制され、ガード部材の位置が側方へずれることを防止できる。なお、突起部は、予め筐体の後部の内側面に接触していてもよいし、筐体の後部の内側面に近接する位置に配置されていてもよい。
【００１０】
発明４に係るリール本体は、発明２のリール本体において、ガード部材が前方に突出する複数の突起部を有する。そして、突起部のそれぞれは、筐体の後部の内側面又は蓋部材の後部の内側面に接触可能な位置に配置される。この構成によれば、ガード部材に対して側方から荷重が加わった場合であっても、突起部が筐体の後部の内側面又は蓋部材の後部の内側面と接触することでガード部材の側方への動きが規制され、ガード部材の位置が側方へずれることを防止できる。なお、突起部は、予め筐体の後部の内側面、又は蓋部材の後部の内側面に接触していてもよいし、筐体の後部の内側面、又は蓋部材の後部の内側面に近接する位置に配置されていてもよい。
【００１１】
発明５に係るリール本体は、発明２のリール本体において、蓋部材の後部は、側面視において側壁の後部と同じ形状を有する。この構成によれば、リール本体は左右対称となるため、意匠性が向上するとともに、筐体後部に取り付けるガード部材の形状を左右対称に近づけることができ、強度的なアンバランスが生じにくくなる。
【００１２】
発明６に係るリール本体は、発明１から５のいずれかのリール本体において、ガード部材は、その前面が側面視において側壁の後面及び蓋部材の後面に沿った形状を有する。この構成によれば、ガード部材を筐体及び蓋部材に装着した際の密着性が向上し、取り付け時のガード部材の強度が向上する。
【００１３】
発明７に係るスピニングリールは、発明１から６のいずれかのリール本体と、リール本体に回転可能に装着されるハンドルと、釣糸が巻かれるスプールと、スプールに釣糸を巻きつけるロータと、を備える。この構成によれば、発明１から６のいずれかのリール本体を有しているため、意匠性および機能性を損なうことなく軽量化できる。
【発明の効果】
【００１４】
本発明によれば、リール本体の後部の意匠性および機能性を損なうことなく筐体の軽量化が可能である。
【図面の簡単な説明】
【００１５】
【図１】スピニングリールの側面図。
【図２】筐体の側面図。
【図３】筐体の背面図。
【図４】蓋部材の側面図。
【図５】ガード部材の側面図。
【図６】スピニングリールの側面断面図。
【図７】ボルトが装着された状態の筒状部材の側面断面図。
【図８】変形例１に係る筐体の背面図。
【発明を実施するための形態】
【００１６】
以下、本発明に係るスピニングリールの実施形態について、図面を参照しつつ説明する。なお、以下の説明において、「前」とは図１から図６（図３を除く）の左、「後」とは図１から図６（図３を除く）の右、「上」とは図１から図６（図３を除く）の上、「下」とは図１から図６（図３を除く）の下を示す。
【００１７】
［スピニングリールの構成］
スピニングリール１００は、釣糸を前方に繰り出し可能なリールである。図１に示すように、スピニングリール１００は、ハンドル１と、ハンドル１を回転自在に支持するリール本体２と、ロータ３と、スプール４とを備える。ロータ３は、リール本体２の前部に回転自在に支持される。スプール４は、釣糸を外周面に巻き取るものであり、ロータ３の前部に前後移動自在に配置される。なお、ハンドル１は、リール本体２の左右いずれにも装着可能である。
【００１８】
［リール本体の構成］
リール本体２は、筐体２１、蓋部材２２、及びガード部材２３を備える。
【００１９】
筐体２１は、たとえば、マグネシウム合金やアルミニウム合金等の軽合金によって形成される。図２に示すように、筐体２１は、第１側面側（図２の紙面手前側）に開口する収容空間２１ａを有する。収容空間２１ａは略直方体状である。この収容空間２１ａは、後述するロータ駆動機構５、及びオシレーティング機構６を収容する。
【００２０】
図２及び図３に示すように、筐体２１は、収容空間２１ａの第２側面（図２の紙面奥側の側面）を画定する側壁２１ｂと、収容空間２１ａの後面を画定する後壁２１ｃとを有する。なお、第２側面は第１側面と対向する。側壁２１ｂは、後壁２１ｃよりも後方に延びる板状の突出片（側壁の後部の一例）２１ｄを有する。突出片２１ｄは、側面視が略三角形状であり、その後端に頂点を有する。突出片２１ｄの厚さは、１ｍｍ以上４ｍｍ以下程度であることが好ましい。突出片２１ｄの厚さが１ｍｍ以上であれば、筐体２１をダイキャストによって容易に成形することができる。また、突出片２１ｄの厚さを４ｍｍ以下にすることによって、軽量化することができるとともに、筐体２１をダイキャストによって成形する際に、成形後のひけの発生を抑制することができる。
【００２１】
後壁２１ｃの後面２１ｅは、実質的に平面である。この後面２１ｅから突出片２１ｄの後端までの長さ、すなわち突出片２１ｄの前後方向の長さＬは、２ｍｍ以上１０ｍｍ以下程度であることが好ましい。また、筐体２１は、前後に延びるＴ字形の釣り竿装着部２１ｆや、逆転防止機構５０などを内部に収容する円筒部２１ｇなども有する。
【００２２】
図２に示すように、筐体２１は、収容空間２１ａの前面を画定する前壁２１ｈを有する。この前壁２１ｈには、収容空間２１ａと外部とを連通する第１連通孔２１ｉが形成される。また、筐体２１の後壁２１ｃには、第１連通孔２１ｉと対向する位置に、収容空間２１ａと外部とを連通する第２連通孔２１ｊが形成される。
【００２３】
第１連通孔２１ｉは、ボルト２４（図６）が通過可能な内径を有する丸孔によって構成される。第１連通孔２１ｉは、筐体２１の前壁２１ｈから第２連通孔２１ｊに向かって突出する第１突出部２１ｋに形成される。第１連通孔２１ｉは、ボルト２４によりガード部材２３を取り付けた後に栓部材２５（図６）により塞がれる。
【００２４】
第２連通孔２１ｊは、筐体２１の後壁２１ｃから第１連通孔２１ｉに向けて突出する第２突出部２１ｌに形成される。第２連通孔２１ｊは、大径部と小径部とから形成される段付きの孔であり、後述するガード部材２３のボス部２３ａが大径部に挿入される。また、第２連通孔２１ｊの小径部には、ボルト２４の軸部２４ｂが通過可能である。
【００２５】
蓋部材２２は、収容空間２１ａの開口を塞ぐために筐体２１に着脱可能に装着される。蓋部材２２は、たとえば、マグネシウム合金やアルミニウム合金等の軽合金製のものである。図４に示すように、蓋部材２２は、たとえば、ロータ３で隠れる前側の２箇所で図示しない２本のボルトにより筐体２１に固定される。前側の２本のボルトは、筐体２１の前部に形成される２つのネジ孔２１ｍにねじ込まれる。また、蓋部材２２は、ロータ３から離反する後側の１箇所で図示しないボルトにより筐体２１に固定される。後側のボルトは、筐体２１の後部に形成されるネジ孔２１ｎにねじ込まれる。後側のボルトは、ガード部材２３によりカバーされる。したがって、蓋部材２２を固定するボルトはリール本体２の外部に露出しない。
【００２６】
蓋部材２２は、筐体２１に装着された状態で、筐体２１の後壁２１ｃよりも後方に位置する後部２２ａを有する。この後部２２ａは、側面視において、筐体２１の突出片２１ｄと略同じ形状の略三角形状である。なお、蓋部材２２は、筐体２１に装着された状態で、収容空間２１ａの第２側面を画定する。
【００２７】
ガード部材２３は、筐体２１及び蓋部材２２に対して後方から装着される部材である。ガード部材２３は、リール本体２の後部を構成し、その側面視はブーメラン形状である。また、ガード部材２３は、側面視において、右側面から見た外観形状と、左側面から見た外観形状とが略同じである。
【００２８】
ガード部材２３は、姿合わせのための図示しないパッキンを介して筐体２１及び蓋部材２２に装着される。ガード部材２３のボス部２３ａは、中心にボルト２４がネジ止め固定されるよう棒状に形成される。ボス部２３ａは、前方に突出し、第２連通孔２１ｊに挿入可能である。具体的には、ボス部２３ａは、前述したように第２連通孔２１ｊの大径部に挿入可能である。ボス部２３ａの中心には、ボルト２４がねじ込まれるネジ孔が形成される。このボス部２３ａのネジ孔は、ボス部２３ａの軸方向の途中の位置まで延びる。ボス部２３ａは、ガード部材２３が固定されたときに、第１孔部２１ｍと第２孔部２１ｎとの段差と隙間を形成可能な長さを有する。また、ガード部材２３は、下部に段付き貫通孔（図示省略）が形成され、この貫通孔を利用して下部が筐体２１にネジ止めされる。
【００２９】
ガード部材２３の前面２３ｂは、突出片２１ｄの後面２１ｐと蓋部材２２の後部２２ａの後面２２ｂとに沿った形状を有する。また、ガード部材２３は、前方に突出する突起部２３ｃを複数有する。各突起部２３ｃは、突出片２１ｄの内側面、又は蓋部材２２の内側面と接触可能な位置、すなわちいずれかの内側面に近接又は接触する位置に配置される。ガード部材２３が筐体２１及び蓋部材２２の後方に装着されたとき、筐体２１と蓋部材２２とガード部材２３とによって空間が形成される。
【００３０】
図７に示すように、ボルト２４は、頭部２４ａと、頭部２４ａより小径であり外周部に雄ネジが形成される軸部２４ｂと、を有する。ボルト２４は、ボス部２３ａに形成されるネジ孔に螺合する。ボルト２４は、スピニングリールの組み立て前に筒状部材２６に装着される。組立時には、第１連通孔２１ｉを経由してドライバー等の締付工具の先端を筒状部材２６に挿入し、締付工具によってボルト２４を回してガード部材２３のボス部２３ａにねじ込む。これにより、ガード部材２３及び筒状部材２６が筐体２１に固定される。
【００３１】
栓部材２５は、合成ゴム等の弾性体製であり、第１連通孔２１ｉ及び筒状部材２６の筒部２６ａのそれぞれの内周面に嵌合して、筒状部材２６と第１連通孔２１ｉとの隙間をシールする。この栓部材２５によって、筒状部材２６の内部から収容空間２１ａ内への液体の浸入を防止できるとともに、第１連通孔２１ｉから収容空間２１ａ内への液体の浸入を防止できる。
【００３２】
筒状部材２６は、例えばポリアミド樹脂又はポリアセタール等の合成樹脂製の部材である。筒状部材２６は、筐体２１の収容空間２１ａにおいて、第１連通孔２１ｉと第２連通孔２１ｊとの間に配置される。図７に示すように、筒状部材２６は、ボルト２４の頭部２４ａを挿入可能な筒部２６ａと、底部２６ｂと、シール装着部２６ｃと、を有する。筒部２６ａは、第１連通孔２１ｉと実質的に同径の孔を有する。底部２６ｂは、第２突出部２１ｌの前面に対向して配置される。底部２６ｂは、ボルト２４の軸部２４ｂが通過可能であり第２連通孔２１ｊの小径部と実質的に同径の貫通孔を有する。底部２６ｂは、ボルト２４の頭部２４ａを係止可能である。シール装着部２６ｃは、底部２６ｂから第２突出部２１ｌに向かって筒状に突出する。シール装着部２６ｃの先端部は、第２突出部２１ｌに接触して配置される。
【００３３】
第２シール部材２７は、シール装着部２６ｃに装着されるＯリングであり、筒状部材２６と第２連通孔２１ｊとの隙間をシールする。第２シール部材２７は、シール装着部２６ｃの後面が第２突出部２１ｌの前面に当接した状態で、底部２６ｂと第２突出部２１ｌとに挟まれて僅かに圧縮する。これにより、第２シール部材２７は、底部２６ｂと第２突出部２１ｌとの隙間をシールする。この結果、第２連通孔２１ｊに液体が浸入しても筒状部材２６から収容空間２１ａ内への液体の浸入を防止できる。
【００３４】
このリール本体２では、ガード部材２３を取り付けるためのボルト２４が栓部材２５によって覆われている。このため、ボルト２４が外部に露出しないすっきりとした外観を得ることができる。また、第１連通孔２１ｉと筒状部材２６との隙間が栓部材２５によってシールされ、第２連通孔２１ｊと筒状部材との隙間が第２シール部材２７によってシールされている。このため、収容空間２１ａへの液体の浸入を抑え、かつボルト２４を後部に露出させることなくガード部材２３を容易に固定できる。また蓋部材２２を筐体２１に固定するネジ部材もロータ３及びガード部材２３により隠れるため、それらの固定ボルトも外部に露出しない。
【００３５】
［スピニングリールのその他の構成］
図６に示すように、ロータ駆動機構５は、ハンドル１が固定される駆動軸５ａと、駆動軸５ａに一体又は別体で設けられるフェースギアの形態の駆動ギア５ｂと、駆動ギア５ｂに噛み合うピニオンギア５ｃと、を有する。
【００３６】
ピニオンギア５ｃは筒状に形成され、ピニオンギア５ｃの前部はロータ３の中心部を貫通し、ナット１３によりロータ３に固定される。また、ピニオンギア５ｃは、その軸方向の中間部と後端部とが、それぞれ軸受１４ａ、１４ｂを介してリール本体２に回転自在に支持される。
【００３７】
オシレーティング機構６は、スプール４の中心部にドラグ機構６０を介して連結されるスプール軸１５を前後方向に移動させてスプール４を同方向に移動させるための機構である。オシレーティング機構６は、スプール軸１５の下方に平行に配置されるトラバースカム軸６ａと、トラバースカム軸６ａに沿って前後方向に移動するスライダ６ｂと、トラバースカム軸６ａの先端に固定される中間ギア６ｃとを有する。スライダ６ｂにはスプール軸１５の後端部が回転不能に固定される。中間ギア６ｃはピニオンギア５ｃに噛み合う。
【００３８】
ロータ３は、リール本体２に対して前後方向の第１軸Ｘ回りに回転可能である。ロータ３は、ピニオンギア５ｃに一体回転可能に連結される。ロータ３は、ピニオンギア５ｃに連結される概ね筒状のロータ本体３ａと、ロータ本体３ａの両側方から延びる第１ロータアーム３ｂ及び第２ロータアーム３ｃと、を有する。また、ロータ３は、第１ロータアーム３ｂ及び第２ロータアーム３ｃに揺動可能に連結されるベールアーム３ｄと、を有する。ベールアーム３ｄは、釣り糸をスプール４に巻き取るために設けられる。
【００３９】
ロータ３は、ローラ型のワンウェイクラッチ５１を有する逆転防止機構５０により逆転禁止状態と逆転許可状態とに切り換え可能である。この切換操作は、リール本体２の下部に配置された切換レバー（図示省略）により行える。
【００４０】
スプール４は、ロータ３の第１ロータアーム３ｂと第２ロータアーム３ｃとの間に配置される。スプール４は、スプール軸１５の先端にドラグ機構６０を介して装着される。スプール４は、外周に釣り糸が巻かれる糸巻き胴部４ａと、糸巻き胴部４ａの後方に糸巻き胴部４ａと一体形成される筒状のスカート部４ｂと、糸巻き胴部４ａの前端に設けられた大径のフランジ部４ｃとを有する。
【００４１】
ドラグ機構６０は、スプール４の回転を制動するものであり、スプール軸１５の先端に螺合するドラグ調整つまみ６１と、ドラグ調整つまみ６１により押圧されてスプール４を制動する制動部６２とを有する。
【００４２】
［特徴］
上記実施形態は、下記のように表現可能である。
【００４３】
（１）リール本体２は、釣糸を前方に繰り出し可能なスピニングリールのリール本体であって、筐体２１と、蓋部材２２と、ガード部材２３とを備える。筐体２１は、第１側面が開口する収容空間２１ａ、第１側面と対向する収容空間２１ａの第２側面を画定する側壁２１ｂ、及び収容空間２１ａの後面を画定する後壁２１ｃを有する。側壁２１ｂの後部である突出片２１ｄは後壁２１ｃよりも後方に延びる。蓋部材２２は、収容空間２１ａの開口を塞ぐよう筐体２１に装着される。ガード部材２３は、突出片２１ｄ及び後壁２１ｃとの間で空間を形成するよう、筐体２１及び蓋部材２２に対して後方から装着される。
【００４４】
この構成によれば、側壁２１ｂの後部である突出片２１ｄは後壁２１ｃよりも後方に延びるため、筐体２１の後部は従来の外観とほぼ同様とすることができる。また、後壁２１ｃは、筐体２１の後端よりも前方に位置するため、ガード部材２３は、突出片２１ｄ及び後壁２１ｃとの間で空間を形成した状態で筐体２１に装着することができる。このため、リール本体２の後部の意匠性や機能性を損なうことなくリール本体２の軽量化が可能となる。
【００４５】
（２）蓋部材２２は、その後部２２ａが後壁２１ｃよりも後方に延びる。この構成によれば、筐体２１の突出片２１ｄ及び後壁２１ｃ、蓋部材２２の後部２２ａ、並びにガード部材２３によってリール本体２の後部に空間部を形成する。このため、蓋部材２２が装着される側から見た意匠性や機能性も損なうことなくリール本体２の軽量化が可能となる。
【００４６】
（３）蓋部材２２の後部２２ａは、側面視において突出片２１ｄと同じ形状を有する。この構成によれば、リール本体２は左右対称となるため、意匠性や機能性が向上し、さらに取り付けるガード部材の強度バランスが向上する。
【００４７】
（４）ガード部材２３は、その前面２３ｂが側面視において側壁の後面２１ｐ及び蓋部材２２の後面２２ｂに沿った形状を有する。この構成によれば、ガード部材２３を筐体２１及び蓋部材２２に装着した際の密着性が向上するので、取り付け時の強度が向上する。
【００４８】
（５）ガード部材２３は、前方に突出する少なくとも一つの突起部２３ｃを有する。そして、突起部２３ｃは、突出片２１ｄの内側面に接触可能な位置に配置される。この構成によれば、ガード部材２３に対して側方から荷重が加わった場合であっても、突起部２３ｃが突出片２１ｄの内側面と接触することでガード部材２３の側方への動きが規制され、ガード部材２３の位置が側方へずれることを防止できる。
【００４９】
（６）ガード部材２３が突起部２３ｃを複数有する。そして、少なくとも一つの突起部２３ｃは、蓋部材２２の後部２２ａの内側面に接触可能な位置に配置される。この構成によれば、蓋部材２２の後部２２ａの内側面と突起部２３ｃとの接触によってもガード部材２３の側方への動きが規制されるため、より確実にガード部材２３の位置が側方へずれることを防止できる。
【００５０】
（７）スピニングリールは、リール本体２と、リール本体２に回転可能に装着されるハンドル１と、釣糸が巻かれるスプール４と、スプール４に釣糸を巻きつけるロータ３と、を備える。この構成によれば、上述したリール本体２を有しているため、意匠性や機能性を損なうことなく軽量化できる。
【００５１】
［変形例］
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００５２】
変形例１
図８に示すように、Ｔスロット加工などによってガード部材２３の内部に逃がし部２３ｄを形成してもよい。この逃がし部２３ｄによって、後壁２１ｃの後面２１ｃから後方に突出する突起部２１ｑがガード部材２３の内側面と干渉することを防ぐことができる。この結果、ガード部材２３の下面を上方にシフトさせることができる。したがって、例えば、ガード部材２３の下面に、ガード部材２３と筐体２１とを固定するためのボルトのための袋穴を形成しても、ガード部材２３の下面が筐体２１に対して下方に突出することがない。
【００５３】
変形例２
また、上記実施形態では、突出片２１ｄは側壁２１ｂの一部（後部）であるとして説明をしたが、突出片２１ｄは側壁２１ｂとは別の部材であるとして次のように表現することが可能である。すなわち、突出片２１ｄは、後壁２１ｃの一方の側縁（図３の右側縁）の一部に沿って形成され、突出片２１ｄの外側面が側壁２１ｂの外側面と滑らかに連続して形成される。
【００５４】
変形例３
ガード部材２３は、突起部２３ｃを有していなくてもよい。また、蓋部材２２の後部２２ａと突出片２１ｄとは、側面視において異なる形状であってもよい。
【符号の説明】
【００５５】
１    ハンドル
２    リール本体
２１    筐体
２１ａ    収容空間
２１ｂ    側壁
２１ｃ    後壁
２１ｄ    突出片（側壁２１ｂの後部）
２２    蓋部材
２２ａ    蓋部材の後部
２３    ガード部材
２３ｃ    突起部
３    ロータ
４    スプール
【図１】
2014121277.tif 000003
【図２】
2014121277.tif 000004
【図３】
2014121277.tif 000005
【図４】
2014121277.tif 000006
【図５】
2014121277.tif 000007
【図６】
2014121277.tif 000008
【図７】
2014121277.tif 000009
【図８】
2014121277.tif 000010